(57)【要約】【課題】従来よりセキュリティを強化することができる付け爪を提供する。【解決手段】ドアロックシステム１０は、装着者９０の親指９１の指紋の画像データを記憶した非接触型ＩＣチップ３１を有する付け爪３０と、認証装置４０とを備え、認証装置４０は、親指９１の指紋を読み取る指紋読取センサ４１と、親指９１に付けられた付け爪３０の非接触型ＩＣチップ３１から指紋の画像データを読み取るチップ読取装置４２と、装着者９０の認証を行う指紋データ照合装置４３とを有し、チップ読取装置４２は、指紋読取センサ４１によって指紋が読み取られるときの非接触型ＩＣチップ３１と通信可能な位置に配置され、指紋データ照合装置４３は、指紋読取センサ４１によって親指９１から読み取られた指紋の画像データと、チップ読取装置４２によって非接触型ＩＣチップ３１から読み取られた指紋の画像データとが一致していることを認証の要件とすることを特徴とする。【選択図】  図１
2008046922.tif 000002
【特許請求の範囲】
【請求項１】
指に付けられるための付け爪であって、
前記指の指紋のデータを記憶したＩＣチップを有することを特徴とする付け爪。
【請求項２】
前記ＩＣチップは、非接触型であることを特徴とする請求項１に記載の付け爪。
【請求項３】
前記ＩＣチップは、前記指紋のデータ以外に識別情報を記憶することを特徴とする請求項１又は請求項２に記載の付け爪。
【請求項４】
指の指紋を読み取る指紋読取部と、前記指に付けられた請求項１又は請求項２に記載の前記付け爪の前記ＩＣチップからデータを読み取るＩＣ読取部と、認証を行う認証部とを有する認証装置であって、
前記ＩＣ読取部は、前記指紋読取部によって前記指紋が読み取られるときの前記ＩＣチップと通信可能な位置に配置され、
前記認証部は、前記指紋読取部によって前記指から読み取られた前記指紋のデータと、前記ＩＣ読取部によって前記ＩＣチップから読み取られた前記指紋のデータとが一致していることを前記認証の要件の少なくとも１つとすることを特徴とする認証装置。
【請求項５】
指の指紋を読み取る指紋読取部と、前記指に付けられた請求項２に記載の前記付け爪の前記ＩＣチップからデータを読み取るＩＣ読取部と、認証を行う認証部とを有し、前記ＩＣ読取部によって前記ＩＣチップから読み取られた前記識別情報を前記認証が成功したときに出力する認証装置であって、
前記ＩＣ読取部は、前記指紋読取部によって前記指紋が読み取られるときの前記ＩＣチップと通信可能な位置に配置され、
前記認証部は、前記指紋読取部によって前記指から読み取られた前記指紋のデータと、前記ＩＣ読取部によって前記ＩＣチップから読み取られた前記指紋のデータとが一致していることを前記認証の要件の少なくとも１つとすることを特徴とする認証装置。
【請求項６】
請求項１又は請求項２に記載の前記付け爪と、請求項４に記載の前記認証装置とを有することを特徴とする認証システム。
【請求項７】
請求項３に記載の前記付け爪と、請求項５に記載の前記認証装置とを有することを特徴とする認証システム。
【発明の詳細な説明】
【技術分野】
【０００１】
本発明は、非接触型ＩＣ（Ｉｎｔｅｇｒａｔｅｄ  Ｃｉｒｃｕｉｔ）チップを有した付け爪に関するものである。
【背景技術】
【０００２】
従来、ＩＣチップを有した付け爪として、特定の個人を識別することができるものが提案されている（例えば、特許文献１−３参照。）。ＩＣチップを有した付け爪は、装着者に常に一体化されているので、ＩＣチップを有したカードと比較して、利用者による紛失や持ち忘れなどを抑制することができる。
【特許文献１】特開２０００−３１１１９４号公報
【特許文献２】特開２００３−６０３９号公報
【特許文献３】特開２００６−９２２５６号公報
【発明の開示】
【発明が解決しようとする課題】
【０００３】
しかしながら、上記従来の技術においては、付け爪が盗難されるなどして他人に悪用される恐れがあるという問題があった。
【０００４】
本発明は、従来の問題を解決するためになされたもので、従来よりセキュリティを強化することができる付け爪を提供することを目的とする。
【課題を解決するための手段】
【０００５】
本発明の付け爪は、指に付けられるための付け爪であって、前記指の指紋のデータを記憶したＩＣチップを有することを特徴とする。
【０００６】
この構成により、本発明の付け爪は、指紋によって持ち主を認証することができるので、従来よりセキュリティを強化することができる。
【０００７】
また、本発明の付け爪の前記ＩＣチップは、非接触型であることが好ましい。
【０００８】
この構成により、本発明の付け爪は、ＩＣチップが接触型である構成と比較して、端子を表面に出す必要がないので、ファッション性を向上することができる。
【０００９】
また、本発明の付け爪の前記ＩＣチップは、前記指紋のデータ以外に識別情報を記憶することが好ましい。
【００１０】
この構成により、本発明の付け爪は、指紋による認証が成功したときに指紋のデータ以外の識別情報が使用されることが可能であり、汎用性を向上することができる。
【００１１】
また、本発明の認証装置は、指の指紋を読み取る指紋読取部と、前記指に付けられた前記付け爪の前記ＩＣチップからデータを読み取るＩＣ読取部と、認証を行う認証部とを有する認証装置であって、前記ＩＣ読取部は、前記指紋読取部によって前記指紋が読み取られるときの前記ＩＣチップと通信可能な位置に配置され、前記認証部は、前記指紋読取部によって前記指から読み取られた前記指紋のデータと、前記ＩＣ読取部によって前記ＩＣチップから読み取られた前記指紋のデータとが一致していることを前記認証の要件の少なくとも１つとすることを特徴とする。
【００１２】
この構成により、本発明の認証装置は、指紋によって付け爪の持ち主を認証することができるので、従来よりセキュリティを強化することができる。
【００１３】
また、本発明の認証装置は、指の指紋を読み取る指紋読取部と、前記指に付けられた前記付け爪の前記ＩＣチップからデータを読み取るＩＣ読取部と、認証を行う認証部とを有し、前記ＩＣ読取部によって前記ＩＣチップから読み取られた前記識別情報を前記認証が成功したときに出力する認証装置であって、前記ＩＣ読取部は、前記指紋読取部によって前記指紋が読み取られるときの前記ＩＣチップと通信可能な位置に配置され、前記認証部は、前記指紋読取部によって前記指から読み取られた前記指紋のデータと、前記ＩＣ読取部によって前記ＩＣチップから読み取られた前記指紋のデータとが一致していることを前記認証の要件の少なくとも１つとすることを特徴とする。
【００１４】
この構成により、本発明の認証装置は、指紋による認証が成功したときに指紋のデータ以外の識別情報を出力することが可能であり、汎用性を向上することができる。
【００１５】
また、本発明の認証システムは、前記付け爪と、前記認証装置とを有することを特徴とする。
【００１６】
この構成により、本発明の認証システムは、指紋によって付け爪の持ち主を認証することができるので、従来よりセキュリティを強化することができる。
【発明の効果】
【００１７】
本発明によれば、従来よりセキュリティを強化することができる付け爪を提供することができる。
【発明を実施するための最良の形態】
【００１８】
以下、本発明の実施の形態について図面に基づいて詳細に説明する。
【００１９】
（第１の実施の形態）
まず、本実施の形態に係る認証システムとしてのドアロックシステムの構成について説明する。
【００２０】
図１及び図２に示すように、本実施の形態に係るドアロックシステム１０は、図示していない住居のドア２０と、装着者９０の親指９１の指紋の画像データを記憶した非接触型ＩＣチップ３１を有して親指９１に付けられた付け爪３０と、ドア２０に取り付けられて付け爪３０の装着者９０の認証を行う認証装置４０とを備えている。
【００２１】
ドア２０は、室外側に取り付けられた取っ手２１と、取っ手２１と離隔した状態で室外側に取り付けられた突出部２２と、側面に設けられて内部に入り込むことによって図示していないドア枠の図示していない穴から出てドア２０を解錠するドアロック２３と、室内側に取り付けられてドアロック２３によるドア２０の解錠の制御を行うドアロック制御装置２４とを備えている。
【００２２】
ドアロック制御装置２４は、住居の全ての居住者のＩＤを記憶している。
【００２３】
また、非接触型ＩＣチップ３１は、親指９１の指紋の画像データ以外に、識別情報として装着者９０のＩＤを記憶している。
【００２４】
認証装置４０は、取っ手２１のうち突出部２２と対向する部分に設けられて親指９１の指紋を読み取る指紋読取部としての指紋読取センサ４１と、突出部２２のうち指紋読取センサ４１と対向する部分に設けられて親指９１に付けられた付け爪３０の非接触型ＩＣチップ３１から指紋の画像データを読み取るＩＣ読取部としてのチップ読取装置４２と、室内側でドア２０に取り付けられて装着者９０の認証を行う認証部としての指紋データ照合装置４３とを有している。
【００２５】
チップ読取装置４２は、指紋読取センサ４１によって親指９１の指紋が読み取られるときの非接触型ＩＣチップ３１と通信可能な位置に配置されている。
【００２６】
指紋データ照合装置４３は、指紋読取センサ４１によって親指９１から読み取られた指紋の画像データと、チップ読取装置４２によって非接触型ＩＣチップ３１から読み取られた指紋の画像データとが一致していることを認証の要件としている。
【００２７】
次に、ドアロックシステム１０の動作について説明する。
【００２８】
付け爪３０の装着者９０によって取っ手２１が掴まれるなどして装着者９０の親指９１が指紋読取センサ４１に触れると、指紋データ照合装置４３は、図３に示すように、指紋読取センサ４１によって親指９１から指紋の画像データを読み取った後（Ｓ６１）、チップ読取装置４２によって非接触型ＩＣチップ３１から指紋の画像データを読み取り（Ｓ６２）、Ｓ６１において親指９１から読み取った指紋の画像データと、Ｓ６２において非接触型ＩＣチップ３１から読み取った指紋の画像データとが一致しているか否かを判断する（Ｓ６３）。
【００２９】
指紋データ照合装置４３は、２つの指紋の画像データが一致していないとＳ６３において判断すると、図３に示す処理を終了する。
【００３０】
一方、指紋データ照合装置４３は、２つの指紋の画像データが一致しているとＳ６３において判断すると、チップ読取装置４２によって非接触型ＩＣチップ３１から装着者９０のＩＤを読み取った後（Ｓ６４）、読み取ったＩＤをドアロック制御装置２４に送信して（Ｓ６５）、図３に示す処理を終了する。
【００３１】
ドアロック制御装置２４は、指紋データ照合装置４３からＩＤが送信されると、図４に示すように、指紋データ照合装置４３から送信された装着者９０のＩＤが、予め記憶している居住者のＩＤに含まれているか否かを判断する（Ｓ７１）。
【００３２】
ドアロック制御装置２４は、装着者９０のＩＤが居住者のＩＤに含まれていないとＳ７１において判断すると、図４に示す処理を終了する。
【００３３】
一方、ドアロック制御装置２４は、装着者９０のＩＤが居住者のＩＤに含まれているとＳ７１において判断すると、ドアロック２３をドア２０内に入り込ませることによってドア枠の穴からドアロック２３を出してドア２０を解錠し（Ｓ７２）、図４に示す処理を終了する。
【００３４】
装着者９０は、ドア２０が解錠されると、ドア２０を開けて住居の中に入ることができる。
【００３５】
以上に説明したように、ドアロックシステム１０は、指紋によって付け爪３０の持ち主である装着者９０を認証することができるので、従来よりセキュリティを強化することができる。したがって、ドアロックシステム１０は、例えば付け爪３０が紛失されたとしても安心である。付け爪は、一般的に消耗品であり、一度に複数個作成されることもあるので、紛失等に強いことは非常に有効である。
【００３６】
また、ドアロックシステム１０は、付け爪３０が付けられている親指９１の指紋の画像データを非接触型ＩＣチップ３１が記憶しており、指紋読取センサ４１によって親指９１の指紋が読み取られるときの非接触型ＩＣチップ３１と通信可能な位置にチップ読取装置４２が配置されているので、指紋読取センサ４１によって親指９１から指紋の画像データを読み取るときに、チップ読取装置４２によって非接触型ＩＣチップ３１から指紋の画像データを読み取ることも同時に実行することができる。
【００３７】
また、ドアロックシステム１０は、指紋による認証が成功したときに指紋データ照合装置４３からドアロック制御装置２４に装着者９０のＩＤを出力することが可能であるので、指紋データ照合装置４３からドアロック制御装置２４に親指９１の指紋の画像データを出力する場合と比較して、ドアロック制御装置２４の記憶容量を低減することができる。
【００３８】
また、ドアロックシステム１０は、指紋による認証が成功したときに指紋データ照合装置４３からドアロック制御装置２４に親指９１の指紋の画像データ以外の識別情報を出力することが可能であるので、指紋データ照合装置４３からドアロック制御装置２４に親指９１の指紋の画像データを出力する場合と比較して、汎用性を向上することができる。即ち、ドアロックシステム１０は、認証装置４０の代わりに例えばカードキーの読取装置がドア２０に取り付けられている場合に、カードキーの読取装置がカードキーから読み取ってドアロック制御装置２４に出力する識別情報と同一の識別情報を付け爪３０の非接触型ＩＣチップ３１が記憶し、その識別情報を認証装置４０がドアロック制御装置２４に出力するようにすれば、カードキーの読取装置と、認証装置４０とを交換するだけで簡単に構築することができる。
【００３９】
なお、ドアロックシステム１０は、ドアロック制御装置２４が装着者９０のＩＤではなく親指９１の指紋の画像データによってドア２０の解錠を許可するか否かを判断するようになっていても良い。その場合、ドアロックシステム１０は、付け爪３０の非接触型ＩＣチップ３１に装着者９０のＩＤが記憶されていなくても良い。
【００４０】
また、ドアロックシステム１０は、ドア２０の解錠の許可を行うようになっているが、同様の方法によって、ドア２０の施錠の許可を行うようになっていても良い。
【００４１】
（第２の実施の形態）
まず、本実施の形態に係る認証システムとしての改札システムの構成について説明する。
【００４２】
図５及び図６に示すように、本実施の形態に係る改札システム１１０は、駅に設置された自動改札機１２０と、装着者１９０の指１９１の指紋の画像データを記憶した非接触型ＩＣチップ１３１を有して指１９１に付けられた付け爪１３０と、自動改札機１２０に取り付けられて付け爪１３０の装着者１９０の認証を行う認証装置１４０とを備えている。
【００４３】
自動改札機１２０は、側面に設けられて装着者１９０の通路を開閉するドア１２１と、内部に設けられてドア１２１の開閉の制御などを行う改札制御装置１２２とを備えている。
【００４４】
改札制御装置１２２は、利用者のＩＤを記憶している。
【００４５】
また、非接触型ＩＣチップ１３１は、指１９１の指紋の画像データ以外に、識別情報として装着者１９０のＩＤを記憶している。また、非接触型ＩＣチップ１３１は、運賃の利用可能額や、乗車駅などのデータも記憶可能になっている。
【００４６】
認証装置１４０は、自動改札機１２０の上部に設けられて指１９１の指紋を読み取る指紋読取部としての指紋読取センサ１４１と、自動改札機１２０の上部に設けられて指１９１に付けられた付け爪１３０の非接触型ＩＣチップ１３１から指紋の画像データを読み取るＩＣ読取部としてのチップ読書装置１４２と、自動改札機１２０の内部に設けられて装着者１９０の認証を行う認証部としての指紋データ照合装置１４３とを有している。
【００４７】
チップ読書装置１４２は、指紋読取センサ１４１によって指１９１の指紋が読み取られるときの非接触型ＩＣチップ１３１と通信可能な位置に配置されている。
【００４８】
指紋データ照合装置１４３は、指紋読取センサ１４１によって指１９１から読み取られた指紋の画像データと、チップ読書装置１４２によって非接触型ＩＣチップ１３１から読み取られた指紋の画像データとが一致していることを認証の要件としている。
【００４９】
次に、改札システム１１０の動作について説明する。
【００５０】
乗車駅の改札に入る装着者１９０の指１９１が指紋読取センサ１４１に触れると、指紋データ照合装置１４３は、第１の実施の形態に係る指紋データ照合装置４３（図２参照。）と同様に、指紋読取センサ１４１によって指１９１から読み取った指紋の画像データと、チップ読書装置１４２によって非接触型ＩＣチップ１３１から読み取った指紋の画像データとが一致している場合に、チップ読書装置１４２によって非接触型ＩＣチップ１３１から読み取った装着者１９０のＩＤを改札制御装置１２２に送信する。
【００５１】
改札制御装置１２２は、指紋データ照合装置１４３からＩＤが送信されると、図７に示すように、指紋データ照合装置１４３から送信された装着者１９０のＩＤが、予め記憶している利用者のＩＤに含まれているか否かを判断する（Ｓ１７１）。
【００５２】
改札制御装置１２２は、装着者１９０のＩＤが利用者のＩＤに含まれていないとＳ１７１において判断すると、アラーム音やランプの点灯などによって報知し（Ｓ１７２）、図７に示す処理を終了する。
【００５３】
一方、改札制御装置１２２は、装着者１９０のＩＤが利用者のＩＤに含まれているとＳ１７１において判断すると、乗車駅の情報をチップ読書装置１４２によって非接触型ＩＣチップ１３１に書き込んだ後（Ｓ１７３）、ドア１２１を開いて（Ｓ１７４）、図７に示す処理を終了する。
【００５４】
装着者１９０は、ドア１２１が開かれると、乗車駅の改札を通過して電車に乗って降車駅に到着することができる。
【００５５】
降車駅の改札から出る装着者１９０の指１９１が指紋読取センサ１４１に触れると、指紋データ照合装置１４３は、第１の実施の形態に係る指紋データ照合装置４３（図２参照。）と同様に、指紋読取センサ１４１によって指１９１から読み取った指紋の画像データと、チップ読書装置１４２によって非接触型ＩＣチップ１３１から読み取った指紋の画像データとが一致している場合に、チップ読書装置１４２によって非接触型ＩＣチップ１３１から読み取った装着者１９０のＩＤを改札制御装置１２２に送信する。
【００５６】
そして、改札制御装置１２２は、指紋データ照合装置１４３からＩＤが送信されると、図８に示すように、チップ読書装置１４２によって非接触型ＩＣチップ１３１から乗車駅の情報と、利用可能額とを読み取った後（Ｓ１８１）、読み取った乗車駅の情報を使用して降車駅までの運賃を計算して（Ｓ１８２）、Ｓ１８１において読み取った利用可能額がＳ１８２において計算した運賃以上であるか否かを判断する（Ｓ１８３）。
【００５７】
改札制御装置１２２は、利用可能額が運賃未満であるとＳ１８３において判断すると、アラーム音やランプの点灯などによって報知し（Ｓ１８４）、図８に示す処理を終了する。
【００５８】
一方、改札制御装置１２２は、利用可能額が運賃以上であるとＳ１８３において判断すると、Ｓ１８１において読み取った利用可能額からＳ１８２において計算した運賃を差し引いた新たな利用可能額をチップ読書装置１４２によって非接触型ＩＣチップ１３１に書き込んだ後（Ｓ１８５）、ドア１２１を開いて（Ｓ１８６）、図８に示す処理を終了する。
【００５９】
装着者１９０は、ドア１２１が開かれると、降車駅の改札を通過して駅から出ることができる。
【００６０】
以上に説明したように、改札システム１１０は、指紋によって付け爪１３０の持ち主である装着者１９０を認証することができるので、従来よりセキュリティを強化することができる。したがって、改札システム１１０は、例えば付け爪１３０が紛失されたとしても安心である。付け爪は、一般的に消耗品であり、一度に複数個作成されることもあるので、紛失等に強いことは非常に有効である。
【００６１】
また、改札システム１１０は、付け爪１３０が付けられている指１９１の指紋の画像データを非接触型ＩＣチップ１３１が記憶しており、指紋読取センサ１４１によって指１９１の指紋が読み取られるときの非接触型ＩＣチップ１３１と通信可能な位置にチップ読書装置１４２が配置されているので、指紋読取センサ１４１によって指１９１から指紋の画像データを読み取るときに、チップ読書装置１４２によって非接触型ＩＣチップ１３１から指紋の画像データを読み取ることも同時に実行することができる。
【００６２】
また、改札システム１１０は、指紋による認証が成功したときに指紋データ照合装置１４３から改札制御装置１２２に装着者１９０のＩＤを出力することが可能であるので、指紋データ照合装置１４３から改札制御装置１２２に指１９１の指紋の画像データを出力する場合と比較して、改札制御装置１２２の記憶容量を低減することができる。
【００６３】
また、改札システム１１０は、指紋による認証が成功したときに指紋データ照合装置１４３から改札制御装置１２２に指１９１の指紋の画像データ以外の識別情報を出力することが可能であるので、指紋データ照合装置１４３から改札制御装置１２２に指１９１の指紋の画像データを出力する場合と比較して、汎用性を向上することができる。即ち、改札システム１１０は、認証装置１４０の代わりに例えばＩＣカードの読取装置が自動改札機１２０に取り付けられている場合に、ＩＣカードの読取装置がＩＣカードから読み取って改札制御装置１２２に出力する識別情報と同一の識別情報を付け爪１３０の非接触型ＩＣチップ１３１が記憶し、その識別情報を認証装置１４０が改札制御装置１２２に出力するようにすれば、ＩＣカードの読取装置と、認証装置１４０とを交換するだけで簡単に構築することができる。
【００６４】
なお、改札システム１１０は、改札制御装置１２２が装着者１９０のＩＤではなく指１９１の指紋の画像データによって利用者か否かの判断を行うようになっていても良い。その場合、改札システム１１０は、付け爪１３０の非接触型ＩＣチップ１３１に装着者１９０のＩＤが記憶されていなくても良い。
【００６５】
（第３の実施の形態）
まず、本実施の形態に係る認証システムとしてのＡＴＭ（Ａｕｔｏｍａｔｅｄ  Ｔｅｌｌｅｒ  Ｍａｃｈｉｎｅ）システムの構成について説明する。
【００６６】
図９及び図１０に示すように、本実施の形態に係るＡＴＭシステム２１０は、コンビニや銀行などに設置されたＡＴＭ２２０と、装着者２９０の指２９１の指紋の画像データを記憶した非接触型ＩＣチップ２３１を有して指２９１に付けられた付け爪２３０と、ＡＴＭ２２０に取り付けられて付け爪２３０の装着者２９０の認証を行う認証装置２４０と、ネットワーク２１１を介してＡＴＭ２２０と通信を行うサーバー２５０とを備えている。
【００６７】
ＡＴＭ２２０は、正面に設けられたタッチパネル２２１と、タッチパネル２２１の横側に設けられて人間の指が挿入されるための指挿入穴２２２と、タッチパネル２２１の下側に設けられて金銭の出し入れが行われるための金銭出入口２２３と、内部に設けられてＡＴＭ２２０の制御を行うＡＴＭ制御装置２２４とを備えている。
【００６８】
非接触型ＩＣチップ２３１は、指２９１の指紋の画像データ以外に、識別情報として装着者２９０のＩＤを記憶している。
【００６９】
認証装置２４０は、指挿入穴２２２内の下部に設けられて指２９１の指紋を読み取る指紋読取部としての指紋読取センサ２４１と、指挿入穴２２２内の指紋読取センサ２４１と対向する部分に設けられて指２９１に付けられた付け爪２３０の非接触型ＩＣチップ２３１から指紋の画像データを読み取るＩＣ読取部としてのチップ読取装置２４２と、ＡＴＭ２２０の内部に設けられて装着者２９０の認証を行う認証部としての指紋データ照合装置２４３とを有している。
【００７０】
チップ読取装置２４２は、指紋読取センサ２４１によって指２９１の指紋が読み取られるときの非接触型ＩＣチップ２３１と通信可能な位置に配置されている。
【００７１】
指紋データ照合装置２４３は、指紋読取センサ２４１によって指２９１から読み取られた指紋の画像データと、チップ読取装置２４２によって非接触型ＩＣチップ２３１から読み取られた指紋の画像データとが一致していることを認証の要件としている。
【００７２】
サーバー２５０は、利用者のＩＤと、暗証番号とを記憶している。
【００７３】
次に、ＡＴＭシステム２１０の動作について説明する。
【００７４】
装着者２９０の指２９１が指挿入穴２２２内に挿入されて指紋読取センサ２４１に触れると、指紋データ照合装置２４３は、第１の実施の形態に係る指紋データ照合装置４３（図２参照。）と同様に、指紋読取センサ２４１によって指２９１から読み取った指紋の画像データと、チップ読取装置２４２によって非接触型ＩＣチップ２３１から読み取った指紋の画像データとが一致している場合に、チップ読取装置２４２によって非接触型ＩＣチップ２３１から読み取った装着者２９０のＩＤをＡＴＭ制御装置２２４に送信する。
【００７５】
ＡＴＭ制御装置２２４は、指紋データ照合装置２４３からＩＤが送信されると、図１１に示すように、タッチパネル２２１に画像を表示するなどして装着者２９０にタッチパネル２２１への暗証番号の入力を要求し（Ｓ２７１）、暗証番号が入力されるまで待機する（Ｓ２７２）。
【００７６】
装着者２９０がタッチパネル２２１によって暗証番号を入力すると、ＡＴＭ制御装置２２４は、指紋データ照合装置２４３から送信された装着者２９０のＩＤと、Ｓ２７１において取得した暗証番号とをサーバー２５０に送信し（Ｓ２７３）、取り引きの許可又は不許可をサーバー２５０から指示されるまで待機する（Ｓ２７４）。
【００７７】
ここで、サーバー２５０は、ＡＴＭ制御装置２２４から送信された装着者２９０のＩＤ及び暗証番号の組み合わせが、予め記憶している利用者のＩＤ及び暗証番号の組み合わせに含まれているか判断する。そして、サーバー２５０は、装着者２９０のＩＤ及び暗証番号の組み合わせが利用者のＩＤ及び暗証番号の組み合わせに含まれている場合に、取り引きの許可をＡＴＭ制御装置２２４に指示する。一方、サーバー２５０は、装着者２９０のＩＤ及び暗証番号の組み合わせが利用者のＩＤ及び暗証番号の組み合わせに含まれていない場合に、取り引きの不許可をＡＴＭ制御装置２２４に指示する。
【００７８】
ＡＴＭ制御装置２２４は、取り引きの許可又は不許可についての指示をサーバー２５０から受けると、サーバー２５０から受けた指示が取り引きの許可であるか否かを判断する（Ｓ２７５）。
【００７９】
ＡＴＭ制御装置２２４は、サーバー２５０から受けた指示が取り引きの不許可であるとＳ２７５において判断すると、取り引きが不許可である旨をタッチパネル２２１に表示して（Ｓ２７６）、図１１に示す処理を終了する。
【００８０】
一方、ＡＴＭ制御装置２２４は、サーバー２５０から受けた指示が取り引きの許可であるとＳ２７５において判断すると、サーバー２５０と通信を行いながらタッチパネル２２１や金銭出入口２２３の動作を制御して入金や出金などの取り引きを装着者２９０と行って（Ｓ２７７）、図１１に示す処理を終了する。
【００８１】
以上に説明したように、ＡＴＭシステム２１０は、指紋によって付け爪２３０の持ち主である装着者２９０を認証することができるので、従来よりセキュリティを強化することができる。したがって、ＡＴＭシステム２１０は、例えば付け爪２３０が紛失されたとしても安心である。付け爪は、一般的に消耗品であり、一度に複数個作成されることもあるので、紛失等に強いことは非常に有効である。
【００８２】
また、ＡＴＭシステム２１０は、付け爪２３０が付けられている指２９１の指紋の画像データを非接触型ＩＣチップ２３１が記憶しており、指紋読取センサ２４１によって指２９１の指紋が読み取られるときの非接触型ＩＣチップ２３１と通信可能な位置にチップ読取装置２４２が配置されているので、指紋読取センサ２４１によって指２９１から指紋の画像データを読み取るときに、チップ読取装置２４２によって非接触型ＩＣチップ２３１から指紋の画像データを読み取ることも同時に実行することができる。
【００８３】
また、ＡＴＭシステム２１０は、指紋による認証が成功したときに指紋データ照合装置２４３からＡＴＭ制御装置２２４に装着者２９０のＩＤを出力することが可能であるので、指紋データ照合装置２４３からＡＴＭ制御装置２２４に指２９１の指紋の画像データを出力してＡＴＭ制御装置２２４からサーバー２５０に指紋の画像データが送信される場合と比較して、サーバー２５０の記憶容量を低減することができる。
【００８４】
また、ＡＴＭシステム２１０は、指紋による認証が成功したときに指紋データ照合装置２４３からＡＴＭ制御装置２２４に指２９１の指紋の画像データ以外の識別情報を出力することが可能であるので、指紋データ照合装置２４３からＡＴＭ制御装置２２４に指２９１の指紋の画像データを出力する場合と比較して、汎用性を向上することができる。即ち、ＡＴＭシステム２１０は、認証装置２４０の代わりに例えばキャッシュカードの読取装置がＡＴＭ２２０に取り付けられている場合に、キャッシュカードの読取装置がキャッシュカードから読み取ってＡＴＭ制御装置２２４に出力する識別情報と同一の識別情報を付け爪２３０の非接触型ＩＣチップ２３１が記憶し、その識別情報を認証装置２４０がＡＴＭ制御装置２２４に出力するようにすれば、キャッシュカードの読取装置と、認証装置２４０とを交換するだけで簡単に構築することができる。
【００８５】
なお、ＡＴＭシステム２１０は、ＡＴＭ制御装置２２４が装着者２９０のＩＤではなく指２９１の指紋の画像データによって取り引きの許可又は不許可をサーバー２５０に問うようになっていても良い。その場合、ＡＴＭシステム２１０は、付け爪２３０の非接触型ＩＣチップ２３１に装着者２９０のＩＤが記憶されていなくても良い。
【００８６】
以上の各実施の形態において、付け爪のＩＣチップは、非接触型のＩＣチップであったので、接触型のＩＣチップのように端子を表面に出さなくても良く、接触型のＩＣチップと比較してファッション性を向上することができるが、もちろん接触型のＩＣチップであっても良い。また、指紋読取センサは、接触式の指紋センサであったが、もちろん非接触式の指紋センサであっても良い。
【図面の簡単な説明】
【００８７】
【図１】本発明の第１の実施の形態に係るドアロックシステムの側面図
【図２】図１に示すドアロックシステムのブロック図
【図３】図１に示すドアロックシステムの指紋データ照合装置の動作のフローチャート
【図４】図１に示すドアロックシステムのドアロック制御装置の動作のフローチャート
【図５】本発明の第２の実施の形態に係る改札システムの斜視図
【図６】図５に示す改札システムのブロック図
【図７】乗車駅での図５に示す改札システムの改札制御装置の動作のフローチャート
【図８】降車駅での図５に示す改札システムの改札制御装置の動作のフローチャート
【図９】本発明の第３の実施の形態に係るＡＴＭシステムの斜視図
【図１０】図９に示すＡＴＭシステムのブロック図
【図１１】図９に示すＡＴＭシステムのＡＴＭ制御装置の動作のフローチャート
【符号の説明】
【００８８】
１０  ドアロックシステム（認証システム）
３０  付け爪
３１  非接触型ＩＣチップ
４０  認証装置
４１  指紋読取センサ（指紋読取部）
４２  チップ読取装置（ＩＣ読取部）
４３  指紋データ照合装置（認証部）
９１  親指
１１０  改札システム（認証システム）
１３０  付け爪
１３１  非接触型ＩＣチップ
１４０  認証装置
１４１  指紋読取センサ（指紋読取部）
１４２  チップ読書装置（ＩＣ読取部）
１４３  指紋データ照合装置（認証部）
１９１  指
２１０  ＡＴＭシステム（認証システム）
２３０  付け爪
２３１  非接触型ＩＣチップ
２４０  認証装置
２４１  指紋読取センサ（指紋読取部）
２４２  チップ読取装置（ＩＣ読取部）
２４３  指紋データ照合装置（認証部）
２９１  指
【図１】
2008046922.tif 000003
【図２】
2008046922.tif 000004
【図３】
2008046922.tif 000005
【図４】
2008046922.tif 000006
【図５】
2008046922.tif 000007
【図６】
2008046922.tif 000008
【図７】
2008046922.tif 000009
【図８】
2008046922.tif 000010
【図９】
2008046922.tif 000011
【図１０】
2008046922.tif 000012
【図１１】
2008046922.tif 000013